(57)【要約】【課題】通信機能を備えないディスク利用機器からオンラインストレージを利用可能にする。【解決手段】通信ディスク装置２は，物理的なディスクインタフェース２１とオンラインストレージにアクセスするための通信インタフェース２５とを備え，ディスク利用機器１のディスクインタフェース１２に挿入される。ディスク利用機器１がディスク操作命令を通信ディスク装置２へ送信すると，通信ディスク装置２は，必要な変換を施したディスク操作命令を通信路４を介して通信ディスクサーバ３へ送信する。通信ディスクサーバ３は，ディスク操作命令をディスク装置３５に対して実行し，その実行結果を通信ディスク装置２に返す。通信ディスク装置２は，それをディスク利用機器１に返信し，ディスク利用機器１は，ディスク操作命令の実行結果を利用者５に通知する。【選択図】        図１
2005004402.tif 000002
【特許請求の範囲】
【請求項１】
通信インタフェースを備えていないディスク利用機器からのオンラインストレージの利用を実現する通信ディスク装置であって，
前記ディスク利用機器との間の物理的なディスクインタフェースと，
オンラインストレージを備えるコンピュータとの間の通信インタフェースとを備える
ことを特徴とする通信ディスク装置。
【請求項２】
通信インタフェースを備えていないディスク利用機器からのオンラインストレージの利用を実現する通信ディスク装置であって，
前記ディスク利用機器からディスク操作命令を受信し，前記ディスク利用機器へディスク操作命令の実行結果を送信するディスクインタフェースと，
オンラインストレージを備えるコンピュータへ前記ディスク利用機器から受信したディスク操作命令を送信し，前記コンピュータからディスク操作命令の実行結果を受信する通信インタフェースとを備える
ことを特徴とする通信ディスク装置。
【請求項３】
請求項１または請求項２に記載の通信ディスク装置において，
前記通信ディスク装置内部の記憶域を提供する設定モードと，前記コンピュータに接続しオンラインストレージの記憶域を提供する通信モードとの切り替えを行う切り替え手段を備える
ことを特徴とする通信ディスク装置。
【請求項４】
請求項３に記載の通信ディスク装置において，
前記通信ディスク装置内部の記憶域を提供する設定モードにおいて，外部から変更可能な内容を，オンラインストレージの記憶域を提供する通信モードの設定情報として利用する
ことを特徴とする通信ディスク装置。
【請求項５】
通信インタフェースを備えていないディスク利用機器からオンラインストレージを利用するオンラインストレージ利用方法であって，
前記ディスク利用機器が物理的なディスクインタフェースを介して通信ディスク装置へディスク操作命令を送信するステップと，
前記通信ディスク装置が前記ディスク操作命令を前記通信ディスク装置とネットワークを介して接続されるコンピュータへ送信するステップと，
前記コンピュータが，前記コンピュータ内のオンラインストレージに対して前記ディスク操作命令を実行し，ディスク操作命令の実行結果を前記通信ディスク装置へ送信するステップと，
前記通信ディスク装置が前記ディスク操作命令の実行結果を前記物理的なディスクインタフェースを介して前記ディスク利用機器へ通知するステップとを有する
ことを特徴とするオンラインストレージ利用方法。
【発明の詳細な説明】
【０００１】
【発明の属する技術分野】
本発明は，オンラインストレージ技術に関し，特に，コンピュータシステムが，ネットワークを介した別のコンピュータシステムに接続されたディスク空間を利用するための通信ディスク装置およびオンラインストレージ利用方法に関する。
【０００２】
【従来の技術】
オンラインストレージサービスとは，データを保存・利用するスペースを，ネットワーク経由で提供するサービスである。利用者は，そのスペースにネットワークを介して接続し，パーソナルコンピュータ（以下，パソコンという）内部のディスク装置等にあるデータをアップロードして保管し，必要になったときは再度接続をして，データをダウンロードして利用することができる。
【０００３】
パソコン内部のディスク装置と異なり，利用者の物理的な利用場所から独立しているため，利用者におけるデータ利用の利便性を向上させることができる。なお，オンラインストレージサービスで利用されているプロトコルＷｅｂＤＡＶが，下記の非特許文献において定義されている（非特許文献１，非特許文献２参照）。
【０００４】
【非特許文献１】
ＲＦＣ２５１８  「ＨＴＴＰ  Ｅｘｔｅｎｓｉｏｎｓ  ｆｏｒ  Ｄｉｓｔｒｉｂｕｔｅｄ  Ａｕｔｈｏｒｉｎｇ−−ＷＥＢＤＡＶ  」
【非特許文献２】
ｆｔｐ：／／ｆｔｐ．ｎｉｃ．ａｄ．ｊｐ／ｒｆｃ／ｒｆｃ２２９１．ｔｘｔ
【０００５】
【発明が解決しようとする課題】
オンラインストレージを利用する端末は，物理的な通信インタフェースを備え，通信インタフェースを制御する通信ソフトウェアと，オンラインストレージへアクセスするためのソフトウェアが必要になる。このため，物理的な通信インタフェースを備えていない多くのデジタルカメラや，オンラインストレージへアクセスするためのソフトウェアが用意されない多くの電子手帳からは，オンラインストレージを利用することができない。
【０００６】
オンラインストレージを利用できないこれらの機器でも，コンパクトフラッシュ（登録商標）のような小型記憶装置を利用できる場合が多い。しかし，異なるディスク空間を利用するには，異なる記憶装置を用意しなければならないため，利用できるディスク空間が限られてしまう。
【０００７】
本発明は，上記問題点を解決し，物理的な通信インタフェース，通信インタフェースを制御する通信ソフトウェア，および，オンラインストレージへアクセスするためのソフトウェアを備えていない機器からもオンラインストレージの利用を可能にすることを目的とする。
【０００８】
【課題を解決するための手段】
上記課題を解決するため，本発明は，通信インタフェースを備えていないディスク利用機器からのオンラインストレージの利用を実現する通信ディスク装置であって，前記ディスク利用機器との間の物理的なディスクインタフェースと，前記オンラインストレージを備えるコンピュータとの間の通信インタフェースとを備えることを特徴とする。
【０００９】
また，本発明は，通信インタフェースを備えていないディスク利用機器からのオンラインストレージの利用を実現する通信ディスク装置であって，前記ディスク利用機器からディスク操作命令を受信し，前記ディスク利用機器へディスク操作命令の実行結果を送信するディスクインタフェースと，前記オンラインストレージを備えるコンピュータへ前記ディスク利用機器から受信したディスク操作命令を送信し，前記コンピュータからディスク操作命令の実行結果を受信する通信インタフェースとを備えることを特徴とする。
【００１０】
また，本発明は，前記通信ディスク装置において，前記通信ディスク装置内部の記憶域を提供する設定モードと，前記コンピュータに接続しオンラインストレージの記憶域を提供する通信モードとの切り替えを行う切り替え手段を備えることを特徴とする。
【００１１】
また，本発明は，前記通信ディスク装置において，前記通信ディスク装置内部の記憶域を提供する設定モードにおいて，外部から変更可能な内容を，オンラインストレージの記憶域を提供する通信モードの設定情報として利用することを特徴とする。
【００１２】
また，本発明は，通信インタフェースを備えていないディスク利用機器からオンラインストレージを利用するオンラインストレージ利用方法であって，前記ディスク利用機器が通信ディスク装置へディスク操作命令を送信するステップと，前記通信ディスク装置が前記ディスク操作命令を前記通信ディスク装置とネットワークを介して接続されるコンピュータへ送信するステップと，前記コンピュータが，前記コンピュータ内のオンラインストレージに対して前記ディスク操作命令を実行し，ディスク操作命令の実行結果を前記通信ディスク装置へ送信するステップと，前記通信ディスク装置が前記ディスク操作命令の実行結果を前記ディスク利用機器へ通知するステップとを有することを特徴とする。
【００１３】
本発明を用いることにより，通信機能を備えないディスク利用機器から異なるコンピュータのディスク空間を利用することができるようになり，ディスク利用機器は利用可能なディスク空間を劇的に増やすことが可能になる。
【００１４】
【発明の実施の形態】
以下，本発明の実施の形態について図を用いて説明する。図１は，本発明の実施の形態におけるシステム構成の一例を示す図である。図１において，１は記憶ディスク空間を必要とするソフトウェアが動作するディスク利用機器，２はディスク利用機器１から受信したディスク操作命令を通信ディスクサーバへ送信する通信ディスク装置，３は受信したディスク操作命令を実行する通信ディスクサーバ，４は通信ディスク装置１と通信ディスクサーバ３とを結ぶ通信路，５はディスク利用機器１を操作する利用者である。
【００１５】
ディスク利用機器１は，機器全体の制御を行うオペレーティングシステム１１と，ディスクを接続するディスクインタフェース１２とを有する。オペレーティングシステム１１には，ディスク操作命令を用いてディスクの制御を行うディスク制御部１１１が含まれる。
【００１６】
通信ディスク装置２は，ディスク利用機器１との接続に用いるディスクインタフェース２１と，ディスク利用機器１から入力されたディスク操作命令を通信のために変換する変換部２２と，通信ディスクサーバ３との通信を行う通信部２３と，通信ディスク装置２の動作に必要な情報を記録する記憶域２４と，通信ディスクサーバ３との通信で利用する通信インタフェース２５と，通信ディスク装置２の動作状態を切り替えるスイッチ２６と，記憶域２４に記憶された情報を制御する記憶域制御部２７とを有する。記憶域２４には，変換部２２が利用する変換制御情報２４１と，通信部２３が利用する通信設定情報２４２とが記憶されている。
【００１７】
通信ディスクサーバ３は，通信ディスク装置２との通信を行う通信部３１と，通信ディスク装置２から送信されたディスク操作命令を通信のために変換する変換部３２と，ディスク操作命令の内容に基づいてディスクの制御を行うディスク制御部３３と，通信ディスクサーバ３の動作に必要な情報を記録する記憶域３４と，利用者５のデータを記憶するディスク装置３５と，通信ディスク装置２との通信で利用する通信インタフェース３６とを有する。記憶域３４には，変換部３２が利用する変換制御情報３４１と，通信部３１が利用する通信設定情報３４２とが記憶されている。
【００１８】
次に，本システムの動作について説明する。図２は，スイッチ２６の操作による通信ディスク装置２の状態遷移を説明する図である。スイッチ２６の状態がＯＦＦの場合，通信ディスク装置２の状態は「設定モード」となる。
【００１９】
設定モードでは，変換部２２と通信部２３，および，通信インタフェース２５は動作を停止する。ディスク利用機器１等の外部から，ディスクインタフェース２１を通して，通信ディスク装置２へ入力されたディスク操作命令は，記憶域制御部２７へ送信される。記憶域制御部２７は，ディスク操作命令の内容を解釈し，記憶域２４に対して操作を行う。
【００２０】
なお，この設定モードでは，基本的には上記のようにディスクインタフェース２１を通してオフラインでの変換制御情報２４１や通信設定情報２４２等の設定を行うことが可能になっているが，初期値や以前に行った設定操作によって，通信に必要な情報がすでに記憶域２４に設定されている場合には，通信ディスクサーバ３などから，通信インタフェース２５，通信部２３を介して，記憶域２４への設定操作を行うことができるようにする実施も可能である。
【００２１】
スイッチ２６の状態がＯＮの場合，通信ディスク装置２の状態は「通信モード」となる。通信モードでは，ディスク利用機器１，通信ディスク装置２および通信ディスクサーバ３は，下記の動作を行う。以下では，ディスク利用機器１，通信ディスク装置２および通信ディスクサーバ３の処理の流れを，図３〜図５に従って説明する。
【００２２】
図３は，ディスク利用機器１の処理フローを示す図である。利用者５は，通信ディスク装置２とディスク利用機器１とを，互いのディスクインタフェース２１とディスクインタフェース１２によって接続する。
【００２３】
ディスク利用機器１を利用者５が操作することにより，オペレーティングシステム１１は，ディスク制御部１１１によってディスク操作命令を生成する（ステップＳ１）。次に，オペレーティングシステム１１は，ディスク操作命令をディスクインタフェース１２を介して通信ディスク装置２へ送信する（ステップＳ２）。その後，ディスク利用機器１のディスク制御部１１１，および，オペレーティングシステム１１は，ディスク操作命令の実行結果，または，ディスクアクセスエラーを通信ディスク装置２から受信し（ステップＳ３），利用者の操作の結果として，利用者へ通知する（ステップＳ４）。
【００２４】
図４は，通信ディスク装置２の処理フローを示す図である。通信ディスク装置２は，ディスク利用機器１からディスクインタフェース２１を介してディスク操作命令を受信し（ステップＳ１１），受け取ったディスク操作命令を変換部２２へ送る。変換部２２は，記憶域２４の変換制御情報２４１を参照し（ステップＳ１２），参照した内容に基づいてディスク操作命令に通信用のシーケンス番号を付与し，通信部２３へ送る（ステップＳ１３）。通信部２３は，記憶域２４の通信設定情報２４２の内容を参照し，通信ディスクサーバ３のアドレスを得る（ステップＳ１４）。
【００２５】
通信部２３は，自身の通信インタフェース２５，通信路４，および，通信ディスクサーバ３の通信インタフェース３６を介して，ディスク操作命令を通信ディスクサーバ３へ送信する（ステップＳ１５）。
【００２６】
通信ディスク装置２の通信部２３は，通信ディスクサーバ３からの応答（ディスク操作命令の実行結果またはディスクアクセスエラー）を受信し，受信した内容を変換部２２へ送信する（ステップＳ１６）。
【００２７】
変換部２２は，受信した内容からディスク操作命令の実行結果，または，ディスクアクセスエラーを抽出する。ディスク操作命令の実行が成功し，受信した内容からディスク操作命令の実行結果が抽出された場合には，変換部２２は，ディスクインタフェース２１を介してディスク操作命令の実行結果をディスク利用機器１へ返して処理を終了する（ステップＳ１７，Ｓ１８）。
【００２８】
ディスク操作命令の実行が失敗し，受信した内容からディスクアクセスエラーが抽出された場合には，変換部２２は，ディスクインタフェース２１を介してディスクアクセスエラーをディスク利用機器１へ返して処理を終了する（ステップＳ１９）。
【００２９】
図５は，通信ディスクサーバ３の処理フローを示す図である。通信ディスクサーバ３は，通信ディスク装置２からディスク操作命令を受信する（ステップＳ２１）。通信ディスクサーバ３の通信部３１は，ディスク操作命令を送信した通信ディスク装置２が許可された装置であるか否かを，通信ディスク装置２のアドレスが記憶域３４の通信設定情報３４２に記述されているか否かを確認することによって判断する（ステップＳ２２）。
【００３０】
許可されていない装置の場合には，ディスクアクセスエラーを通信ディスク装置２へ返信する（ステップＳ３０）。許可された装置の場合には，受信した内容を変換部３２へ送信する（ステップＳ２３）。変換部３２は，ディスク操作命令を送信した通信ディスク装置２のアドレスと通信用のシーケンス番号とを，記憶域３４の変換制御情報３４１に記録する（ステップＳ２４）。
【００３１】
次に，変換部３２は，受信した内容からディスク操作命令を抽出する（ステップＳ２５）。変換部３２は，抽出したディスク操作命令をディスク制御部３３へ送る（ステップＳ２６）。ディスク制御部３３は，ディスク操作命令の内容を解釈し，ディスク装置３５に対して操作を行う（ステップＳ２７）。
【００３２】
ディスク装置３５に対して操作を行った結果，ディスク操作命令の実行が成功したか失敗したかを判定し（ステップＳ２８），ディスク操作命令が成功した場合には，通信ディスク装置２へディスク操作命令の実行結果を返信し（ステップＳ２９），ディスク操作命令が失敗した場合には，通信ディスク装置２へディスクアクセスエラーを返信する（ステップＳ３０）。
【００３３】
このステップＳ２９またはＳ３０の返信は，次のように行う。ディスク制御部３３は，ディスク操作命令の実行結果またはディスクアクセスエラーを変換部３２へ返す。変換部３２は，記憶域３４の変換制御情報３４１に記録しておいた通信用のシーケンス番号を，ディスク制御部３３からの応答に付与し，同じく変換制御情報３４１に記録しておいた通信ディスク装置２のアドレスとともに，通信部３１ヘ送る。通信部３１は，変換部３２から受け取った情報を参照し，通信ディスク装置２のアドレスを得る。
【００３４】
通信部３１は，自身の通信インタフェース３６，通信路４，および，通信ディスク装置２の通信インタフェース２５を介して，ディスク操作命令の実行結果，または，ディスクアクセスエラーを通信ディスク装置２へ送信する。
【００３５】
図６は，本発明の実施の形態における処理シーケンスの概要を示す図である。以下，図６に示すＡ〜Ｏに従って説明する。
【００３６】
まず，ディスク利用機器１が，ディスク操作命令を生成し（Ａ），生成したディスク操作命令を通信ディスク装置２へ送信する（Ｂ）。通信ディスク装置２は，通信ディスクサーバ３のアドレスを取得し（Ｃ），ディスク操作命令を通信ディスクサーバ３へ送信する（Ｄ）。
【００３７】
通信ディスクサーバ３は，ディスク操作命令の送信元である通信ディスク装置２が許可された装置か否かの判断を行い（Ｅ），許可されていない装置の場合には，通信ディスク装置２へディスクアクセスエラーを送信する（Ｆ）。通信ディスク装置２は，受信したディスクアクセスエラーをディスク利用機器１に送信し（Ｇ），ディスク利用機器１は，ディスクアクセスエラーを利用者５に通知する（Ｈ）。
【００３８】
通信ディスク装置２が許可されている装置の場合には，通信ディスクサーバ３は，ディスク操作命令を解釈し実行する（Ｉ）。ディスク操作命令の実行が失敗した場合には，通信ディスクサーバ３は，通信ディスク装置２へディスクアクセスエラーを送信する（Ｊ）。通信ディスク装置２は，受信したディスクアクセスエラーをディスク利用機器１に送信し（Ｋ），ディスク利用機器１は，ディスクアクセスエラーを利用者５に通知する（Ｌ）。
【００３９】
ディスク操作命令の実行が成功した場合，通信ディスクサーバ３は，通信ディスク装置２へディスク操作命令の実行結果を送信する（Ｍ）。通信ディスク装置２は，受信したディスク操作命令の実行結果をディスク利用機器１に送信し（Ｎ），ディスク利用機器１は，ディスク操作命令の実行結果を利用者５に通知する（Ｏ）。
【００４０】
【実施例】
次に，本発明の適用例を，図７に示す具体的な実施例に従って説明する。図７に示すシステムでは，例えば，図１のディスク利用機器１としてデジタルカメラ１０，ディスク制御部１１としてコンパクトフラッシュ・デバイスドライバ１００，ディスクインタフェース１２としてコンパクトフラッシュ・スロット１０１を用いる。
【００４１】
また，例えば，通信ディスク装置２としてコンパクトフラッシュ形状の通信ディスク装置２０，ディスクインタフェース２１としてコンパクトフラッシュ端子２００，記憶域２４としてフラッシュメモリ２０１，通信インタフェース２５として  ＩＥＥＥ８０２．１１ｂ無線ＬＡＮインタフェース２０２，スイッチ２６としてＯＮ／ＯＦＦ式のスイッチを用いる。
【００４２】
また，例えば，通信ディスクサーバ３としてパソコン３０，記憶域３４およびディスク装置３５としてハードディスク装置３００，通信インタフェース３６として  ＩＥＥＥ８０２．１１ｂ無線ＬＡＮインタフェース３０１，通信路４として  ＩＥＥＥ８０２．１１ｂ無線ＬＡＮ４０を用いる。
【００４３】
デジタルカメラ１０のコンパクトフラッシュ・デバイスドライバ１００が生成するディスク操作命令は，例えばＡＴＡ（Ａｔ  Ａｔｔａｃｈｍｅｎｔ）  コマンドとする。通信ディスク装置２０とパソコン３０間の通信プロトコルは，ＴＣＰ／ＩＰ（Ｔｒａｎｓｐｏｒｔ  Ｃｏｎｔｒｏｌ  Ｐｒｏｔｏｃｏｌ／Ｉｎｔｅｒｎｅｔ  Ｐｒｏｔｏｃｏｌ）とする。
【００４４】
通信ディスク装置２０とパソコン３０間の無線通信は，ＩＥＥＥ８０２．１１ｂ  無線ＬＡＮ通信のアドホックモードによる直接通信とする。また，変換制御情報２４１と通信設定情報２４２は，通信ディスク装置２０の記憶域２４に，それぞれファイルとして記録されている。
【００４５】
利用者５は，あらかじめ通信ディスク装置２０のスイッチ２６をＯＦＦにした状態で，図示省略した設定用のパソコンに通信ディスク装置２０のコンパクトフラッシュ端子２００を接続し，設定用のパソコンからコンパクトフラシュ端子２００を通して，フラッシュメモリ２０１の変換制御情報２４１にシーケンス番号の初期値として０を，通信設定情報２４２に  ＩＥＥＥ８０２．１１ｂ無線ＬＡＮインタフェース２０２のＩＰアドレス，ＩＥＥＥ８０２．１１ｂ  無線ＬＡＮ４０のためのＳＳＩＤ（Ｓｅｒｖｉｃｅ  Ｓｅｔ  ＩＤ）やＷＥＰ（Ｗｉｒｅｄ  Ｅｑｕｉｖａｌｅｎｔ  Ｐｒｉｖａｃｙ）キー，パソコン３０のＩＰアドレスを登録しておく。
【００４６】
ここでは，利用者５が，パソコン３０に記録された画像を，デジタルカメラ１０で利用する際の動作を説明する。利用者５は，通信ディスク装置２０のスイッチ２６をＯＮにした状態で，デジタルカメラ１０のコンパクトフラッシュ・スロット１０１に通信ディスク装置２０を挿入する。
【００４７】
利用者５がデジタルカメラ１０の再生操作を行うと，デジタルカメラ１０のコンパクトフラッシュ・デバイスドライバ１００は，ＲＥＡＤコマンドを，コンパクトフラッシュ・スロット１０１を介して通信ディスク装置２０へ送信する。通信ディスク装置２０は，受信したＲＥＡＤコマンドを変換部２２へ送る。
【００４８】
変換部２２は，受信したＲＥＡＤコマンドをデータ部とするＴＣＰパケットを生成し，通信部２３へ送る。通信部２３は，ＴＣＰパケットを，フラッシュメモリ２０１中の通信設定情報２４２に記述されたパソコン３０へ，ＩＥＥＥ８０２．１１ｂ  無線ＬＡＮ４０を介して送信する。
【００４９】
パソコン３０は，通信部３１でデータを受信する。受信したデータは変換部３２に渡され，変換部３２はＲＥＡＤコマンドを抽出する。ＲＥＡＤコマンドはディスク制御部３３で解釈され，ハードディスク装置３００への命令として実行される。ＲＥＡＤコマンドの実行結果として，ハードディスク装置３００から画像データが読み込まれる。
【００５０】
パソコン３０は，ＲＥＡＤコマンドの実行結果として，画像データを通信ディスク装置２０へ返信する。通信ディスク装置２０は，パソコン３０から返された画像データを，デジタルカメラ１０から送られたＲＥＡＤコマンドの実行結果として，デジタルカメラ１０に返す。通信ディスク装置２０から画像データを返されたデジタルカメラ１０は，利用者５の再生操作の実行結果として，受信した画像データを表示する。
【００５１】
本発明の他の実施例として，図１に示すディスクインタフェース１２とディスクインタフェース２１は，図７において挙げたコンパクトフラッシュ・スロット１０１，コンパクトフラッシュ端子２００の他に，ＩＤＥ  （Ｉｎｔｅｇｒａｔｅｄ  Ｄｒｉｖｅ  Ｅｌｅｃｔｒｏｎｉｃｓ）  ，ＳＣＳＩ（Ｓｍａｌｌ  Ｃｏｍｐｕｔｅｒ  Ｓｙｓｔｅｍ  Ｉｎｔｅｒｆａｃｅ）  ，ＳＤカード（Ｓｅｃｕｒｅ  Ｄｉｇｉｔａｌ  Ｃａｒｄ）  ，メモリーステイック等の記憶装置インタフェースが適用可能である。
【００５２】
また，図１に示す通信インタフェース２５と通信インタフェース３６は，図７において挙げた  ＩＥＥＥ８０２．１１ｂ無線ＬＡＮインタフェース２０２，３０１の他に，  ＩＥＥＥ８０２．１１ａ無線ＬＡＮ，  ＩＥＥＥ８０２．１１ｇ無線ＬＡＮ，Ｂｌｕｅｔｏｏｔｈ，有線イーサネット（登録商標），携帯電話網，ＰＨＳ（Ｐｅｒｓｏｎａｌ  Ｈａｎｄｙｐｈｏｎｅ  Ｓｙｓｔｅｍ）網等の通信インタフェースが適用可能である。
【００５３】
また，図１に示す通信路４を，図７において挙げた  ＩＥＥＥ８０２．１１ｂ無線ＬＡＮ４０のＷＥＰ暗号の他に，ＩＰｓｅｃ（Ｉｎｔｅｒｎｅｔ  Ｐｒｏｔｏｃｏｌ  Ｓｅｃｕｒｉｔｙ）等の暗号化を行い，通信の安全性を高めることが可能である。
【００５４】
【発明の効果】
本発明を用いることにより，ディスク利用機器がネットワーク通信インタフュースやネットワーク通信ソフトウェアを備えていなくても，通信ディスクサーバ上のディスク装置をネットワーク経由で利用することができるようになる。したがって，本発明によって，ディスク利用機器は利用可能なディスク空間を劇的に増やすことが可能になる。従来，ディスク利用機器で別のディスク装置を利用するには，ディスクインタフェースに異なるディスク装置を直接接続しなければならなかったが，本発明により，単一の通信ディスク装置の内部設定情報を変更するだけで，ディスク利用機器から異なる通信ディスクサーバのディスク空間を利用することができる。
【図面の簡単な説明】
【図１】本発明の実施の形態におけるシステム構成の一例を示す図である。
【図２】スイッチの操作による通信ディスク装置の状態遷移を説明する図である。
【図３】ディスク利用機器の処理フローを示す図である。
【図４】通信ディスク装置の処理フローを示す図である。
【図５】通信ディスクサーバの処理フローを示す図である。
【図６】本発明の実施の形態における処理シーケンスの概要を示す図である。
【図７】本発明の実施例を示す図である。
【符号の説明】
１  ディスク利用機器
２，２０  通信ディスク装置
３  通信ディスクサーバ
４  通信路
５  利用者
１０  デジタルカメラ
１１  オペレーティングシステム
１２，２１  ディスクインタフェース
２２，３２  変換部
２３，３１  通信部
２４，３４  記憶域
２５，３６  通信インタフェース
２６  スイッチ
２７  記憶域制御部
３０  パソコン
３３  ディスク制御部
３５  ディスク装置
１００  コンパクトフラッシュ・デバイスドライバ
１０１  コンパクトフラッシュ・スロット
２００  コンパクトフラッシュ端子
２０１  フラッシュメモリ
２０２，３０１    ＩＥＥＥ８０２．１１ｂ無線ＬＡＮインタフェース
３００  ハードディスク装置
２４１，３４１  変換制御情報
２４２，３４２  通信設定情報
【図１】
2005004402.tif 000003
【図２】
2005004402.tif 000004
【図３】
2005004402.tif 000005
【図４】
2005004402.tif 000006
【図５】
2005004402.tif 000007
【図６】
2005004402.tif 000008
【図７】
2005004402.tif 000009